(57)【要約】【課題】アース線をフレームへと容易に接続できる液晶表示装置を提供する。【解決手段】液晶パネル、あるいはバックライトに基端側を電気的に接続したアース線Ｅの先端部を半田付けする表面カバー４の半田付け領域109の周囲に、抜き穴111を設ける。半田付け領域109での放熱を抜き穴111により遮断することで半田付け領域109での放熱量を抑制し、半田付け領域109へのアース線Ｅの半田付けの作業性を向上でき、アース線Ｅを表面カバー４へと容易に接続できる。【選択図】図１
2007304486.tif 000002
【特許請求の範囲】
【請求項１】
有効表示領域を備えた平面表示素子と、
この平面表示素子に照光する面状光源部と、
これら平面表示素子と面状光源部とを保持する金属製のフレームと、
前記平面表示素子および前記面状光源部の少なくともいずれか一方に電気的に接続された配線とを具備し、
前記フレームは、周囲の少なくとも一部に孔部が設けられ前記配線の先端部が半田付けされる半田付け領域を備えている
ことを特徴とした平面表示装置。
【請求項２】
前記フレームは、前記平面表示素子の有効表示領域の周囲に位置する額縁部を備え、
前記半田付け領域を区画する孔部は、少なくとも一部が前記額縁部を交差する方向に設けられている
ことを特徴とした請求項１記載の平面表示装置。
【発明の詳細な説明】
【技術分野】
【０００１】
本発明は、平面表示素子と面状光源部とを保持する金属製のフレームを備えた平面表示装置に関する。
【背景技術】
【０００２】
従来、平面表示装置としての液晶表示装置は、平面表示素子としての液晶パネルと、この液晶パネルに照光する面状光源部としてのバックライトとを備えた液晶モジュールを、金属製のフレーム内で重ねて保持した構造を有している。
【０００３】
このような液晶表示装置においては、液晶モジュールのグランドとフレームとを共通電位とする、いわゆるフレームグランドを施すために、液晶モジュール側の液晶パネル、あるいはバックライトに電気的に接続された配線としてのアース線を、フレームに設けた螺子穴などに螺子止めする処置が採用されている（例えば、特許文献１参照。）。
【特許文献１】特開平７−３２６４０１号公報
【発明の開示】
【発明が解決しようとする課題】
【０００４】
しかしながら、近年、液晶表示装置の製造コストを抑制することが望まれており、上述の液晶表示装置では、アース線をフレームに螺子止めするための螺子が必要になり、部品単価を抑制することが容易でないという問題点を有している。
【０００５】
そこで、フレームの表面の一部のめっきを剥離し、剥き出しになった金属部分にフレームグランド用の配線を半田付けして接続することが考えられるものの、この際、この接続部分に半田ごてを当てても、その熱がフレーム全体に放熱されて半田ごての熱が接続部分に充分に溜まらず、半田付けに時間を要するなど、半田付けの作業性が良好でないという問題点を有している。
【０００６】
本発明は、このような点に鑑みなされたもので、配線をフレームへと容易に接続できる平面表示装置を提供することを目的とする。
【課題を解決するための手段】
【０００７】
本発明は、有効表示領域を備えた平面表示素子と、この平面表示素子に照光する面状光源部と、これら平面表示素子と面状光源部とを保持する金属製のフレームと、前記平面表示素子および前記面状光源部の少なくともいずれか一方に電気的に接続された配線とを具備し、前記フレームは、周囲の少なくとも一部に孔部が設けられ前記配線の先端部が半田付けされる半田付け領域を備えているものである。
【０００８】
そして、配線の先端部が半田付けされるフレームの半田付け領域の周囲の少なくとも一部に孔部を設ける。
【発明の効果】
【０００９】
本発明によれば、半田付け領域での放熱量を抑制し、半田付け領域への配線の半田付けの作業性を向上し、配線をフレームへと容易に接続できる。
【発明を実施するための最良の形態】
【００１０】
以下、本発明の第１の実施の形態の平面表示装置の構成を図１および図２を参照して説明する。
【００１１】
図２において、１は平面表示装置としての透過型の液晶表示装置で、この液晶表示装置１は、比較的大型で、狭額縁および携帯性に優れた薄型の入出力一体型液晶ディスプレイとしての液晶モジュールである。そして、この液晶表示装置１は、例えばラップトップ型やノート型のパーソナルコンピュータ（ＰＣ）の画像表示部などとして用いられる透過型の略四角形平板状の平面表示素子としての液晶表示素子である液晶パネル２と、この液晶パネル２に面状光を照射する面状光源部としてのバックライト３とを備え、液晶パネル２側にフレームとしてのカバー体すなわちベゼルカバーである四角形枠状の表面カバー４が取り付けられている。
【００１２】
液晶パネル２は、平面視四角形状のアレイ基板５と、このアレイ基板５に対向配置された平面視四角形状の対向基板６とを有し、これら基板５，６間に光変調層としての図示しない液晶層が封入、封止されて構成されている。また、液晶パネル２の中央部には、画像を表示させる有効表示領域としての四角形状の表示画面エリア７が形成され、この表示画面エリア７には、複数の図示しない表示画素がマトリクス状に配列されている。さらに、液晶パネル２の表示画面エリア７の表面および裏面には、この表示画面エリア７から出射あるいは入射する光を光学的に変化させる光学シートとしての四角形平板状の偏光板８，９が取り付けられている。
【００１３】
アレイ基板５は、各表示画素を駆動する図示しない薄膜トランジスタ（Thin Film Transistor:ＴＦＴ）が一主面である表面に、各表示画素に対応してマトリクス状に設けられている。また、アレイ基板５上には、各薄膜トランジスタのゲート電極に電気的に接続された図示しない走査線と、各薄膜トランジスタのソース電極に電気的に接続された図示しない信号線とが、格子状に設けられている。さらに、このアレイ基板５は、平面視で対向基板６よりも大きい四角形状に形成され、図２に示す右側および上側に、接続部11，12が形成されている。
【００１４】
接続部11，12には、接続基板としてのテープ基板である四角形状の複数のテープキャリアパッケージ（Tape Carrier Package、ＴＣＰ）15，16を介して、回路基板17，18が電気的に接続されている。
【００１５】
ＴＣＰ15，16は、例えば合成樹脂などにより形成された可撓性を有するフレキシブルな基板であり、ＴＣＰ15には、アレイ基板５の走査線に電気的に接続された走査線駆動用ＩＣとしてのゲートドライバ21が実装され、ＴＣＰ16には、アレイ基板５の信号線に電気的に接続された信号線駆動用ＩＣとしてのソースドライバ22が実装されている。
【００１６】
回路基板17は、ゲートドライバ21に対して駆動信号を供給する走査線駆動回路基板であり、回路基板18は、ソースドライバ22に対して駆動信号を供給する信号線駆動回路基板である。そして、これら回路基板17，18からの駆動信号に基づき、各ドライバ21，22が駆動することで、対応する薄膜トランジスタがスイッチングされ、この薄膜トランジスタのスイッチングにより、各画素が駆動されて表示画面エリア７に画像を表示するように構成されている。
【００１７】
対向基板６には、各薄膜トランジスタに対応して、図示しない対向電極がマトリクス状に形成されている。
【００１８】
また、偏光板８，９は、液晶パネル２の表示画面エリア７の表面から出射される面状の光、あるいはこの表示画面エリア７の裏面へと入射する光を偏光して、この表示画面エリア７における面内輝度の均一化や輝度を向上させるものである。
【００１９】
一方、バックライト３は、液晶パネル２を裏面から照射させる照明用として使用される照明ユニットである。すなわち、このバックライト３は、液晶パネル２の表示画面エリア７に面状の光を出射させて透過させて、この液晶パネル２の表示画面エリア７に表示される画像を目視可能にする。そして、このバックライト３は、線状の光を発する光源としての細長棒状の線状光源であるランプユニット25と、このランプユニット25が図２に示す上側に対向して配置される導光体としてのプリズム導光体である略四角形平板状の樹脂製の導光板26と、これらランプユニット25と導光板26とを保持する裏面カバー27およびハウジング28とを備えている。
【００２０】
ランプユニット25は、例えば１本の長尺状であるとともに管状の光源である放電ランプとしての図示しない冷陰極管と、この冷陰極管を覆う反射体としてのランプリフレクタ32とを有し、長手方向の一端部に、外部回路から冷陰極管に給電するケーブル33が設けられ、このケーブル33の先端部に、接続用のコネクタ34が設けられている。そして、このランプユニット25は、ランプリフレクタ32により、冷陰極管から照射された光を導光板26の一側部へと導入させるように構成されている。
【００２１】
導光板26は、一辺であるランプ側の一側部に、冷陰極管から照射された光が入射される光入射面41が形成され、この光入射面41から入射した線状の光を、この導光板26の一主面である裏面43に対向した光出射面としての発光面である表面44側に向けて面状に屈折させるものである。すなわち、この導光板26は、ランプユニット25からの光を表面44側に向けて面状に屈折させて面状光に変換して、この面状光を液晶パネル２の表示画面エリア７の裏面側へと照射させる透光性を有している。
【００２２】
さらに、導光板26の裏面43には、この裏面43を覆う四角形状の反射体としての反射板46が取り付けられている。この反射板46は、この導光板26内からこの導光板26の裏面43を介して外部へと照射される光を、導光板26の表面44側に向けて反射させる。
【００２３】
一方、導光板26の表面44には、この表面44を覆う複数、例えば４枚の略四角形シート状の光学シート51，52，53，54が重ね合わされた状態で取り付けられて配置されている。これら光学シート51〜54は、導光板26の表面44から出射される面状光を光学的に変化させて、この導光板26の表面44の面内輝度の均一化や輝度を向上させる。
【００２４】
裏面カバー27は、バックライト３の裏面（背面）となるもので、例えば金属などにより略四角形板状に形成され、裏面側すなわちバックライト３と反対側には、基板カバー65が取り付けられている。
【００２５】
基板カバー65は、液晶パネル２の裏面側であるバックライト３の裏面側へとＴＣＰ15により折り返された回路基板17を覆って取り付けられるもので、例えば金属などにより細長四角形状に形成されている。
【００２６】
また、ハウジング28は、例えば合成樹脂などにより四角形枠状に形成され、バックライト３の面状光が液晶パネル２へと出射する開口である四角形状の透過開口部としてのハウジング窓部81が開口形成されている。
【００２７】
表面カバー４は、例えば金属などにより四角形枠状に形成され、液晶パネル２の表示画面エリア７の表面側を露出させる開口部としての四角形状の窓部101が中央部に開口形成された額縁状のフレーム本体である額縁部102と、この額縁部102の周縁部にバックライト３側である裏側へと屈曲形成された表面カバー屈曲部103，104（一方のみ図示），105とを備えている。
【００２８】
窓部101は、液晶パネル２の表示画面エリア７に対応した略四角形形状に形成されている。
【００２９】
額縁部102は、図２に示す窓部101の上側に位置して左右に長手状の額縁上側部106と、窓部101の下側に位置して左右に長手状の額縁下側部107と、これら額縁上側部106と額縁下側部107の左右両端部にて上下方向に長手状に連続した額縁側部108，108とを有し、例えば額縁上側部106に、液晶パネル２、あるいはバックライト３の少なくともいずれかと基端側が電気的に接続された配線としてのアース線Ｅの先端部が半田付けされる半田付け領域109が形成されている。
【００３０】
半田付け領域109は、例えば額縁上側部106の図２に示す左側寄りの位置に設けられており、この額縁上側部106を交差する方向、本実施の形態では図２に示す上下方向に沿って穿設された孔部としての抜き穴111，111により、両端部が規制されている。さらに、この半田付け領域109は、額縁上側部106の表面のめっきを適宜剥離しためっき剥離部112の略中心部に半田Ｓを介してアース線Ｅが電気的および機械的に接続されている。換言すれば、アース線Ｅの先端部は、額縁上側部106の上下方向の略中心域に半田付けされる。
【００３１】
抜き穴111，111は、額縁上側部106の図１に示す上下方向に互いに離間され、互いの間に隙間113が形成されている。また、半田付け領域109の左右両端に位置する抜き穴111，111同士の間隔Ｗは、半田付け領域109の最小幅に設定されている。さらに、これら抜き穴111は、アース線Ｅの先端部の半田Ｓ部分に対して、上下および左右に互いに略対称に形成されている。
【００３２】
図２に戻って、表面カバー屈曲部103は、図２に示す額縁部102の上縁部に沿って形成されている。
【００３３】
さらに、各表面カバー屈曲部104は、上下両端部近傍に、表面カバー４を取り付ける状態でハウジング28の外側に位置する。
【００３４】
そして、表面カバー屈曲部105は、図２に示す額縁部102の下縁部に沿って設けられ、表面カバー屈曲部103よりも突出量が小さく形成されている。
【００３５】
次に、上記第１の実施の形態の作用を説明する。
【００３６】
液晶表示装置１の組み立てに際しては、まず、ランプユニット25をハウジング28に嵌着するとともに、ランプユニット25のランプリフレクタ32に、各種光学シート51〜54を設けた導光板26を、光入射面41を対向させるように嵌着してハウジング28に嵌合させ、このハウジング28に反射板46とともに裏面カバー27を嵌着してバックライト３を完成する。
【００３７】
次いで、液晶パネル２に各ＴＣＰ15，16により各回路基板17，18を電気的に接続し、この液晶パネル２をバックライト３のハウジング28に組み付けた後、表面カバー４とともに螺子などで固定する。
【００３８】
さらに、回路基板18を、各ＴＣＰ16によりバックライト３の裏面側へと折り返し、基板カバー65を裏面カバー27の裏面側に取り付けることで、回路基板18を基板カバー65と裏面カバー27との間に収容して、液晶表示装置１を完成する。
【００３９】
そして、液晶パネル２およびバックライト３側と表面カバー４とを共通電位とする、いわゆるフレームグランドを施す際には、半田付け領域109に位置する額縁部102の表面のめっきを適宜剥離してめっき剥離部112を形成し、アース線Ｅの先端部を、この半田付け領域109の略中央部に、図１に示す半田ごてSIを介して半田付けする。
【００４０】
このとき、半田ごてSIから半田付け領域109に伝わった熱は、表面カバー４の材質により放熱され、図１に示す上下方向へは、比較的大きな放熱量H1，H2で放熱されるものの、図１に示す左右方向へは、それぞれ抜き穴111，111により放熱が抑制されて比較的小さい放熱量H3，H3で放熱されることにより、半田付け領域109に半田ごてSIの熱が効率よく溜まり、アース線Ｅの短時間での半田付けが可能となる。
【００４１】
すなわち、上記第１の実施の形態によれば、アース線Ｅの先端部を半田付けする半田付け領域109の周囲に抜き穴111を設けることで、半田ごてSIからの熱に対する半田付け領域109での放熱を抜き穴111により遮断することで半田付け領域109での放熱量を抑制し、半田付け領域109へのアース線Ｅの半田付けの作業性を向上でき、アース線Ｅを表面カバー４へと容易に接続できる。
【００４２】
そして、アース線Ｅを表面カバー４の半田付け領域109に半田付けすることにより、アース線を螺子などにより表面カバーに螺子止めしてフレームグランドを施す従来の場合と比較して、部品単価を抑制でき、製造コストを低減できる。
【００４３】
また、半田付け領域109の周囲を区画する抜き穴111を、額縁部102と交差する方向に沿って設けることで、額縁部102へと拡散しようとする半田ごてSIの熱を確実に遮断し、半田ごてSIの熱が半田付け領域109に、より確実に溜まるようにできる。
【００４４】
さらに、抜き穴111を、半田付け領域109の両側に設け、額縁部102と交差する方向に離間することで、半田付け領域109周辺の表面カバー４の強度を考慮する必要がない。ここで、半田付け領域109の上下方向には、抜き穴を設けていないものの、額縁部102は上下幅が狭いため、上下方向への放熱は少なくて済み、半田付け領域109に半田ごてSIの熱を充分に溜めることができる。
【００４５】
そして、半田付け領域109において、抜き穴111を略対称に配置することで、例えば抜き穴を非対称に配置した場合のように、半田付け領域での放熱量に方向性のばらつきが生じることを抑制し、半田付け領域109での放熱量を均一に抑制できる。
【００４６】
なお、上記第１の実施の形態において、図３に示す第２の実施の形態のように、半田付け領域109の左右両端部の抜き穴111を、上下方向に長手状に連続した長穴状とすることも可能である。この場合には、これら抜き穴111により半田付け領域109の左右方向への放熱がさらに抑制され、上記第１の実施の形態の放熱量H3，H3よりも小さい放熱量H4，H4で放熱されることにより、半田ごてSIの熱が半田付け領域109に、より効率よく溜まり、アース線の半田付け時間を、より短縮できる。
【００４７】
また、上記第２の実施の形態において、図４に示す第３の実施の形態のように、半田付け領域109の上下両側のそれぞれに、半田付けを必要とする領域の最小値の長手寸法W2を有する長穴状の抜き穴111を設けることも可能である。この場合には、表面カバー４の半田付け領域109周辺の強度を考慮する必要があり、また、隣接する抜き穴111，111間の隙間115からは比較的大きな放熱量H5，H5，H5，H5で放熱されるものの、抜き穴111により半田付け領域109の上下方向および左右方向への放熱はさらに抑制され、上記第１の実施の形態の放熱量H1，H2，H3，H3よりも小さい放熱量H6，H6，H7，H7で放熱されることにより、半田ごてSIの熱が半田付け領域109に、より効率よく溜まり、アース線Ｅの半田付け時間を、さらに短縮できる。
【００４８】
そして、上記各実施の形態において、半田付け領域109は、額縁部102の額縁下側部107、額縁側部108，108など、あるいは、表面カバー４の各表面カバー屈曲部103，104，105のいずれかなどに設けてもよい。
【００４９】
また、抜き穴111の形状は、半田付け領域109での放熱量を所定値以下に設定できれば、上記各実施の形態に限定されるものではない。
【００５０】
さらに、配線としては、アース線Ｅ以外の配線も可能である。
【００５１】
そして、上記各実施の形態において、平面表示装置としては、液晶表示装置１以外でも、他の様々なものに対応させて用いることが可能である。
【図面の簡単な説明】
【００５２】
【図１】本発明の第１の実施の形態の平面表示装置の要部を拡大して示す平面図である。
【図２】同上平面表示装置を示す分解斜視図である。
【図３】本発明の第２の実施の形態の平面表示装置の要部を拡大して示す平面図である。
【図４】本発明の第３の実施の形態の平面表示装置の要部を拡大して示す平面図である。
【符号の説明】
【００５３】
１    平面表示装置としての液晶表示装置
２    平面表示素子としての液晶パネル
３    面状光源部としてのバックライト
４    フレームとしての表面カバー
７    有効表示領域としての表示画面エリア
102   額縁部
109   半田付け領域
111   孔部としての抜き穴
Ｅ    配線としてのアース線
【図１】
2007304486.tif 000003
【図２】
2007304486.tif 000004
【図３】
2007304486.tif 000005
【図４】
2007304486.tif 000006